(57)【要約】【課題】  内部ドアオープナー構成を提供する。【解決手段】  本発明は、車両ドアのための内部ドアオープナー構成（９９）であって、筺体（５）は、軸（４）の周りで枢動可能であり且つドアロックに接続可能であるレバー（３）を内包し、筺体（５）は、第１に、筺体（５）をドアライニング（１）に固着させるための第１の固着要素（６）を有し、且つ第２に、筺体（５）をドア構造（１１）に固着させるための第２の固着要素（９）を有し、スリーブ（１３）は、第２の固着要素（９）とドア構造（１１）との間の距離のドア特有の橋架のために提供され、前記スリーブは、第２の固着要素（９）の領域において筺体（５）に接続される、内部ドアオープナー構成（９９）に関する。【選択図】  図３
2020118023.tif 000002
【特許請求の範囲】
【請求項１】
車両ドアのための内部ドアオープナー構成（９９）であって、筺体（５）は、軸（４）の周りで枢動可能であり且つドアロックに接続可能であるレバー（３）を内包し、前記筺体（５）は、第１に、前記筺体（５）をドアライニング（１）に固着させるための第１の固着要素（６）を有し、且つ第２に、前記筺体（５）をドア構造（１１）に固着させるための第２の固着要素（９）を有する、内部ドアオープナー構成（９９）において、スリーブ（１３）は、前記第２の固着要素（９）と前記ドア構造（１１）との間の距離のドア特有の橋架のために提供され、前記スリーブは、前記第２の固着要素（９）の領域において前記筺体（５）に接続されることを特徴とする、内部ドアオープナー構成（９９）。
【請求項２】
前記第２の固着要素は、ねじ（８）のためのドーム状レセプタクル（９）であることを特徴とする、請求項１に記載の内部ドアオープナー構成（９９）。
【請求項３】
前記スリーブ（１３）は、力嵌め及び／又は形状嵌め方式で前記第２の固着要素（９）、特に前記ドーム状レセプタクルなどに接続されることを特徴とする、請求項１又は２に記載の内部ドアオープナー構成（９９）。
【請求項４】
前記スリーブ（１３）は、ねじ（８）の挿入のための空洞（１４）を有することを特徴とする、請求項１〜３のいずれか一項に記載の内部ドアオープナー構成（９９）。
【請求項５】
前記スリーブ（１３）は、前記ねじ（８）を拘束して固定するために前記空洞（１４）内に突出する突起物（１８）を有することを特徴とする、請求項４に記載の内部ドアオープナー構成（９９）。
【請求項６】
前記突起物（１８）は、タブの形状又はピラミッドの形状で構成されることを特徴とする、請求項５に記載の内部ドアオープナー構成（９９）。
【請求項７】
前記スリーブ（１３）は、前記筺体（５）の少なくとも１つの突起物（２０）との、回転しないように固定された状態での接触のための少なくとも１つのさらなる突起物（１９）を有することを特徴とする、請求項１〜６のいずれか一項に記載の内部ドアオープナー構成（９９）。
【請求項８】
前記さらなる突起物（１９）は、指の形状で設計されること、及び／又は前記筺体（５）の前記突起物（２０）は、リブの形状で設計されることを特徴とする、請求項７に記載の内部ドアオープナー構成（９９）。
【請求項９】
前記スリーブ（１３）は、前記レセプタクル（９）の対応するレセプタクル（１７）と係合する少なくとも１つの突起物（１６）を有することを特徴とする、請求項１〜８のいずれか一項に記載の内部ドアオープナー構成（９９）。
【請求項１０】
前記レセプタクル（１７）は、ポケットの形状又は溝の形状で設計されることを特徴とする、請求項１〜９のいずれか一項に記載の内部ドアオープナー構成（９９）。
【発明の詳細な説明】
【技術分野】
【０００１】
本発明は、自動車のドアのための内部ドアオープナー構成に関する。
【背景技術】
【０００２】
内部ドアオープナー構成は、例えば、（特許文献１）、（特許文献２）又は（特許文献３）から自動車においてよく知られている。
【０００３】
そのような内部ドアオープナー構成では、内部ドアオープナー構成のレバーを手動で作動させることにより、車両内部から車両ドアを手動で開けることが可能になる。車両ドアのロックは、典型的には、前記レバーを介して作動され、且つ車両ドアを開けることができるようにボーデンケーブル又はリンク機構によって解除される。
【０００４】
内部ドアライニング及びドアの主要構造の両方に固着される内部ドアオープナー構成が検討される。この目的のため、内部ドアライニング上の固着ポイントとドアの主要構造上の固着ポイントとの間の距離は、内部ドアオープナー構成上の固着ポイントの距離に対応する必要がある。車両ドアが異なって構成されるときでも標準の内部ドアオープナー構成を使用できるようにするため、特にドアの主要構造への固着は、様々な車両ドアにおける変動する距離サイズに合わせて、異なるドア構成のそれぞれに適応させる必要がある。従って、標準化戦略を達成することができる。それにより、部品数が増え且つ変動が減り、従ってコスト全体が低減される。
【先行技術文献】
【特許文献】
【０００５】
【特許文献１】韓国特許出願公開第２００１−００５９８０９Ａ号明細書
【特許文献２】国際公開第２０１４／１２２８３５Ａ１号パンフレット
【特許文献３】米国特許第９２４８７２２Ｂ２号明細書
【発明の概要】
【発明が解決しようとする課題】
【０００６】
従って、本発明の目的は、コストを低減するために、異なる車両ドアでも使用することができる内部ドアオープナー構成を提供することである。
【課題を解決するための手段】
【０００７】
この目的は、請求項１の特徴によって達成される。
【０００８】
本発明の例示的な実施形態は、車両ドアのための内部ドアオープナー構成であって、筺体は、軸の周りで枢動可能であり且つドアロックに接続可能であるレバーを内包し、筺体は、第１に、筺体をドアライニングに固着させるための第１の固着要素を有し、且つ第２に、筺体をドア構造に固着させるための第２の固着要素を有し、スリーブは、第２の固着要素とドア構造との間の距離のドア特有の橋架のために提供され、前記スリーブは、第２の固着要素の領域において筺体に接続される、内部ドアオープナー構成に関する。従って、それぞれの場合において、特定の車両ドアにスリーブを適応させるか又は選択するのみで、他の部分では構造的に同一の内部ドアオープナー構成のドア特有の使用が可能になる。
【０００９】
例示的な一実施形態では、第２の固着要素がねじのためのドーム状レセプタクルである場合に好都合である。
【００１０】
スリーブが力嵌め及び／又は形状嵌め方式で第２の固着要素（特にドーム状レセプタクルなど）に接続される場合に有利である。従って、スリーブは、失われないようにレセプタクル上に固定して配置することができる。
【００１１】
また、スリーブがねじの挿入のための空洞を有する場合にも有利である。従って、スリーブは、ねじのホルダ及びチャネルとして機能する。
【００１２】
スリーブが、ねじを拘束して固定するために空洞内に突出する突起物を有する場合に特に有利である。従って、ねじの拘束固定手段が達成される。それにより、取り扱いが容易になる。
【００１３】
また、突起物がタブ又はピラミッドの形状で構成される場合にも好都合である。従って、簡単且つ安全な拘束固定手段を実現することができる。
【００１４】
また、スリーブが、筺体の突起物との、回転しないように固定された状態での接触のためのさらなる突起物を有する場合にも好都合である。従って、ねじのねじ止め中のスリーブの回転運動が回避される。
【００１５】
従って、さらなる突起物が指の形状で設計される場合及び／又は筺体の突起物がリブの形状で設計される場合にも有利である。これにより、拘束固定手段の構成が容易になる。
【００１６】
スリーブが、ドーム状レセプタクルの対応するレセプタクルと係合する少なくとも１つの突起物を有する場合に特に有利である。従って、レセプタクルとスリーブとの間の簡単な形状嵌め接続が達成される。
【００１７】
レセプタクルがポケットの形状又は溝の形状で設計される場合に特に有利である。従って、簡単な押し止め又は掛け止めが可能になる。
【００１８】
以下では、図面を参照して、例示的な実施形態を使用して本発明をさらに詳細に説明する。
【図面の簡単な説明】
【００１９】
【図１】図２の線Ａ−Ａに沿った内部ドアオープナー構成の概略断面図を示す。
【図２】本発明による内部ドアオープナー構成のさらなる図を示す。
【図３】本発明による内部ドアオープナー構成の概略図を示す。
【図４】図３による図の詳細を示す。
【図５】図４の線Ｂ−Ｂに沿った概略断面図を示す。
【図６】スリーブの概略部分断面図を示す。
【発明を実施するための形態】
【００２０】
図１には、内部ドアオープナー構成９９の断面を示す。図２には、そのような内部ドアオープナー構成９９の上面図を示す。
【００２１】
図１及び２には、機械的に動作可能な内部ドアオープナー構成９９を示す。内部ドアオープナー構成９９は、ドアライニング１に嵌着され、且つレバー３を有する。レバー３は、軸４の周りの回転偏移中、前記レバーに固着されたケーブルプル、リンク機構又は同様のものが作動されるように、軸４の周りを回転する方式で偏移させることができる。その結果、車両ドアのドアロックが解除される。従って、車両ドアを開けることができる。
【００２２】
レバー３及び他の機械部品（例えば、レバー３の軸４又は戻しばね（図１及び２に図示せず）など）は、内部ドアオープナー構成９９の中心部品として筺体５内に通例通りに配置される。
【００２３】
その結果、内部ドアオープナー構成９９をドアライニング１に固着させることができる。筺体５のフランジ６は、ドアライニング１の溶接ドーム、ねじ接続ドーム又は他のピン状突起物９８を受け入れる開口部７を有する。
【００２４】
筺体５上のドーム状レセプタクル９内のねじ８は、ドア構造１１の内部ねじ山１０と係合する。ねじ８により、レバー３の作動中及びまた側面衝突の場合に車両ドア及び内部ドアオープナー構成９９に作用する力は、広範囲にわたる且つ相応に比較的可撓性の柔らかいドアライニング１にのみ導入されることがなく、より安定したドア構造１１に分散されることが保証される。
【００２５】
内部ドアオープナー構成９９の小型の構造が存在することが分かっている。それは、ドアライニング１の表面とドア構造１１の表面との間の全体寸法が可能な限り小さいことを特徴とする。
【００２６】
小さい全体寸法により、内部ドアオープナー構成９９の重量が低くなる。また、運転席のドアライニングと助手席のドアライニングとの間の肩領域における快適な内部寸法も容易になる。
【００２７】
また、小さい全体寸法による狭い構成は、車両ドア内の構築空間が限られているとき、内部ドアオープナー構成が車両プロジェクトに包括的に適合することをもたらすことも意図されている。
【００２８】
別の車両ドアにおいて、ドアライニング１の表面とドア構造１１の表面との間の距離が、図１による内部ドアオープナー構成９９の全体寸法より大きい場合、そのようなさらなる車両ドアにおいて図１の内部ドアオープナー構成９９を使用できるようにするためにさらなる対策が必要である。
【００２９】
図３〜６には、本発明による内部ドアオープナー構成のこの点における改善及びその詳細を示す。内部ドアオープナー構成９９は、ドアライニング１の表面とドア構造１１の表面との間の距離がａ＋ｃの値を有する車両ドアにおいて使用されることが意図されている。
【００３０】
図３〜６では、追加の距離ｃを橋架するためにスリーブ１３が使用されている。スリーブ１３の長さは、描写される距離ｃに少なくとも実質的に対応する。その距離は、例えば、ねじ８を受け入れるための円筒形状に構成された空洞１４により、ねじ８の軸に沿って示されている。
【００３１】
スリーブ１３は、内部ドアオープナー構成９９の部品である。この部品は、力嵌め及び／又は形状嵌め方式でレセプタクル９の自由端において筺体５に固着される。この部品は、ドア構造１１の最大限の材料変形に達しているためにドア構造側でサイズｃが橋架され得ない場合に使用される。
【００３２】
従って、スリーブ１３を適応させる（これは、幾何学的に且つ製造及び公差の観点から要求が厳しくない）という本発明による利点は、スリーブ１３の長さを距離ｃ（内部ドアオープナー構成９９の既定の筺体５上のレセプタクル９の端側と、ドア構造１１の内部ねじ山１０との間で橋架される距離であり、異なる車両プロジェクトにおいて及び運転席ドアと後部ドアとの間の車両プロジェクトにおいて潜在的に異なる）に基本的に費用効率よく修正することによって得られる。
【００３３】
これにより達成される効果は、距離ｃを橋架するように設計されたアダプタ部品としてスリーブ１３を使用することにより、第１に、内部ドアオープナー構成９９の筺体５の前述のモジュール式又は標準化戦略が、特にねじ８のレセプタクル９の領域において、事前に定義された寸法を有するように維持されることであり、第２に、内部ドアオープナー構成９９の筺体５上のねじ８のレセプタクル９の端側からのその距離を考慮することなく、ドア構造１１が設計及び寸法決定され得ることである。
【００３４】
代替の発展形態では、図４〜６に示されるように、ねじ８に対する拘束固定機能を有するスリーブ１３が提供される。
【００３５】
以下の説明は、力嵌め方式のみならず、形状嵌め方式及び任意選択によりまたねじ８のレセプタクル９の端側における力嵌め方式で内部ドアオープナー構成９９の筺体５に固着されるスリーブ１３に関する。この固着は、例えば、少なくとも１つの突起物１６によって行うことができる。この突起物１６は、スリーブ１３のその空間内に提供される。突起物１６は、取り付けられた状態では、内部ドアオープナー構成９９の筺体５上のレセプタクル９に取り込まれる。突起物は、レセプタクル９の空洞１５の方を指し示し、且つ少なくとも１つのポケット又は溝状の凹部１７と係合する。凹部１７は、内部ドアオープナー構成９９の筺体５上のレセプタクル９の外側面の１つにおけるレセプタクルとして幾何学的に前記突起物１６に対応する。
【００３６】
従って、スリーブ１３は、ねじ８がなくとも、内部ドアオープナー構成９９の筺体５上のレセプタクル９に確実に固着される。
【００３７】
しかし、代わりに、スリーブ１３は、前述にかかわらず、力嵌めのみによってレセプタクル９に固着させることもできる。
【００３８】
例示的な実施形態では、ねじ８に対する任意選択の拘束固定手段がさらに示される。示される例示的な実施形態では、拘束固定手段の特性は、少なくとも２つの突起物１８が提供されることである。突起物１８は、ねじ８を受け入れることを意図するスリーブ１３の空洞１４内に位置し、且つタブの形状又は図６によればピラミッドの形状で構成することができる。
【００３９】
これらの突起物１８、その先端又はその先端の表面中心点は、一般に、ねじ８の軸に垂直に配置された平面内に位置し、且つ任意選択により互いにねじ８の軸から同じ距離にある。ねじ８の軸からの突起物１８の先端の距離がねじ８のねじ込み軸の外径の半分より小さいという事実により、スリーブ１３の突起物１８とねじ８とが重なり合う。
【００４０】
筺体５上のレセプタクル９に固定されたスリーブ１３にねじ８をねじ込む場合、突起物１８の先端における塑性変形のため、この重ね合わせにより、ねじ８のねじ込み軸とスリーブ１３との締め付けが保証される。
【００４１】
スリーブ１３の突起物１８とのねじ８のねじ込み軸の材料変位による係合後、ねじ８の頭部がレセプタクル９の空洞１５において依然として支持されているかどうかにかかわらず、プリアセンブリを終了することができる。その結果、スリーブ１３にねじ込まれたねじ８及びレセプタクル９は、内部ドアオープナー構成９９内のプリアセンブリ位置において力嵌め及び形状嵌め方式で固定される。
【００４２】
スリーブ１３上の突起物１９（前記突起物は、レセプタクル９の外側面の１つを指し示し、且つ例えば指の形状に設計される）は、内部ドアオープナー構成の筺体５上の突起物との形状嵌めされる（例えば、接触の形態において）。突起物は、例えば、リブ２０であり得る。突起物は、ねじ８の差し込み中、突起物１８の先端における塑性材料変位の結果として生じる摩擦トルクが筺体５上のレセプタクル９とスリーブ１３との間の回転相対運動をもたらすことを防ぐ（相対運動は、ねじ込み動作を阻止する）。
【００４３】
図６に示されるスリーブ１３の対称性は、例示的な実施形態の特徴である。スリーブ１３のセグメント（その外面形状及び空洞１４を含む）のすべては、そのすべての機能を保持しながら非対称性を有するように設計することもできる。
【００４４】
本発明による改善により、ドアライニング１は、ドア構造１１に設置する前に、ドアライニング１の内部ドアオープナー構成９９に事前に拘束して固定されたねじ８を装備され得る。
【００４５】
それから生じる第１の利点は、ねじ８が、個別の部品（車両生産ラインにおける生産及び提供が複雑である）ではなく、むしろ明らかに使用のために割り当てられ且つ拘束統合されたアセンブリ（すなわちドアライニング１の内部ドアオープナー構成９９）の一部品であることである。
【００４６】
従って、車両生産ラインにおける小型部品に対するロジスティックプロセスが簡素化される。そこで雇用されている従業員が、内部ドアオープナー構成９９のためのねじ８を忘れるか、紛失若しくは混同するか、又はドアライニング１若しくは内部ドアオープナー構成９９の傷つきやすい表面をねじ８で損傷するという形態の品質リスクが排除される。
【００４７】
さらなる利点は、ねじ８の差し込み時の人間工学の簡素化である。内部ドアオープナー構成９９の筺体５上のレセプタクル９の空洞１５（空洞内には、プリアセンブリ位置に固定されたねじ８の頭部が配置される）への回転及び好ましくは機械駆動ねじ止めツールの導入により、内部ドアオープナー構成９９を介してドアライニング１をドア構造１１に固着させるための単一の作業ステップのみが必要となる。これにより、個別に又は最も不利にはねじ止めツール（以前にねじ８の頭部が配置されている）と共に、レセプタクル９のほとんど見えない且つ人間工学的にアクセス不可能な空洞１５にねじ８をねじ込まなければならないという以前の作業ステップの手間が省かれる。これには、図に示されるように、内部ドアオープナー構成の筺体５上のレセプタクル９が動作不能位置においてレバー３によってカバーされる場合、特に作業促進効果がある。なぜなら、１つの同時作業ステップにおいて、車両生産ラインにおける従業員は、そこで既に事前嵌着されているねじ８の最終的な固着のために、戻しばねが原因で張力がかかっているレバー３を従業員が片手で偏移させると同時に、他方の手で内部ドアオープナー構成９９の筺体５上のアクセス可能になったレセプタクル９に回転ねじ止めツールを導入することにより、内部ドアオープナー構成９９を介してドアライニング１をドア構造１１に固着できるようになるためである。
【符号の説明】
【００４８】
１  ドアライニング
３  レバー
４  軸
５  筺体
６  固着要素、レセプタクル
７  開口部
８  ねじ
９  固着要素、レセプタクル
１０  内部ねじ山
１１  ドア構造
１３  スリーブ
１４  空洞
１５  空洞
１６  突起物
１７  レセプタクル、凹部
１８  突起物
１９  突起物
２０  突起物、リブ
９８  突起物
９９  内部ドアオープナー構成
【図１】
2020118023.tif 000003
【図２】
2020118023.tif 000004
【図３】
2020118023.tif 000005
【図４】
2020118023.tif 000006
【図５】
2020118023.tif 000007
【図６】
2020118023.tif 000008